(57)【要約】【課題】密閉性や包装強度を維持しつつ、端面から容易に開封できるようにしたカートンを提供する。【解決手段】各一対の広面板１及び狭面板２を有し、狭面板２及び広面板１からそれぞれ延びる内フラップ４及び外フラップ５を順次内側へ折り曲げて、対向する外フラップ５の先端縁を突き合わせ、内フラップ４と外フラップ５とを貼り合わせて封緘したカートンにおいて、前記内フラップ４に、狭面板２との稜部を始端とする切込を入れて押込片８を形成し、この押込片８の一部分を対向する外フラップ５の間から露出させ、外フラップ５にその角部の折り曲げを誘導する斜折線１０を入れる。押込片８を押し込むと、外フラップ５の角部を摘むことができるので、外フラップ５を捲るように斜折線１０沿いに折り曲げつつ、内フラップ４から引き剥がして、端面から容易に開封できる。【選択図】図４
2006273359.tif 000002
【特許請求の範囲】
【請求項１】
各一対の広面板１及び狭面板２を有し、狭面板２及び広面板１からそれぞれ延びる内フラップ４及び外フラップ５を順次内側へ折り曲げて、対向する外フラップ５の先端縁を突き合わせ、内フラップ４と外フラップ５とを貼り合わせて封緘したカートンにおいて、前記内フラップ４に、狭面板２との稜部を始端とする切込を入れて押込片８を形成し、この押込片８の一部分を対向する外フラップ５の間から露出させ、外フラップ５にその角部の折り曲げを誘導する斜折線１０を入れたことを特徴とする易開封カートン。
【請求項２】
各一対の広面板１及び狭面板２を有し、狭面板２及び広面板１からそれぞれ延びる内フラップ４及び外フラップ５を順次内側へ折り曲げて、対向する外フラップ５の先端縁を突き合わせ、内フラップ４と外フラップ５とを貼り合わせて封緘したカートンにおいて、前記外フラップ５に、先端縁の中間部から切込を入れて押込片１１を形成すると共に、先端縁の両側部から基端へ至る切断用の切目線１２を入れ、この切目線１２の外側で内フラップ４と外フラップ５とを貼り合わせたことを特徴とする易開封カートン。
【発明の詳細な説明】
【技術分野】
【０００１】
この発明は、飲料缶等の包装に使用するカートンに関するものである。
【背景技術】
【０００２】
一般に、ビール缶を包装する際には、図９に示すように、各一対の広面板５１及び狭面板５２を継代片５３を介して連設し、集積した缶Ｃを包み込んで、狭面板５２の両端から延びる内フラップ５４と、広面板５１の両端から延びる外フラップ５５とを順次内側へ折り曲げ、対向する外フラップ５５の先端縁を突き合わせ、内フラップ５４と外フラップ５５とをホットメルト接着剤により接着部ａで貼り合わせて封緘するラップラウンド式の段ボール製カートンが使用される。
【０００３】
このようなカートンには、横置きにした状態でトレー状に分割して開封できるように、狭面板５２から内フラップ５４へかけて、対向する外フラップ５５の隙間に至るカットテープ等の引裂帯５６が設けられ、その切出部５７が狭面板５２の中央部に切込により形成されている。
【０００４】
ところで、上記のようなカートンを家庭で開封する際には、缶Ｃを必要な分だけ取り出して、残存した分を嵩張ることなく保管しておくため、縦置きにした状態で、上方となった端面から開封する場合が多く、その際、外フラップ５５を内フラップ５４から引き剥がすのに大きな力を要するほか、外フラップ５５の突き合わされた先端縁間に指が入りにくいので、開封しにくいという意見がある。
【０００５】
このため、下記特許文献１においては、先端縁の両側部から基端へ至る切断用の切目線を入れ、この切目線の外側で内フラップと外フラップとを貼り合わせ、外フラップの先端縁間に指を入れる隙間を設けることにより、外フラップを切り開いて開封できるようにしたカートンが提案されている。
【０００６】
【特許文献１】特許第３４４１２８５号公報
【発明の開示】
【発明が解決しようとする課題】
【０００７】
しかしながら、上記のように、外フラップの先端縁間に隙間を設けると、カートン内に塵埃が入りやすくなるほか、包装強度が低下するという問題がある。
【０００８】
そこで、この発明は、密閉性や包装強度を維持しつつ、端面から容易に開封できるようにしたカートンを提供することを課題とする。
【課題を解決するための手段】
【０００９】
上記課題を解決するため、この発明は、各一対の広面板及び狭面板を有し、狭面板及び広面板からそれぞれ延びる内フラップ及び外フラップを順次内側へ折り曲げて、対向する外フラップの先端縁を突き合わせ、内フラップと外フラップとを貼り合わせて封緘したカートンにおいて、前記内フラップに、狭面板との稜部を始端とする切込を入れて押込片を形成し、この押込片の一部分を対向する外フラップの間から露出させ、外フラップにその角部の折り曲げを誘導する斜折線を入れたのである。
【００１０】
また、前記外フラップに、先端縁の中間部から切込を入れて押込片を形成すると共に、先端縁の両側部から基端へ至る切断用の切目線を入れ、この切目線の外側で内フラップと外フラップとを貼り合わせたのである。
【発明の効果】
【００１１】
上記のように構成すると、外フラップを突き合わせて梱包しているので、密閉性や包装強度が損なわれることがなく、また、内フラップの狭面板との稜部に押込片を設けたカートンでは、押込片を押し込むと、外フラップの角部を摘むことができるので、外フラップを捲るように斜折線沿いに折り曲げつつ、内フラップから引き剥がして、端面から容易に開封することができる。
【００１２】
また、外フラップに押込片と切目線を入れたカートンでは、押込片を押し込むと、その抜出穴に指を入れることができるので、外フラップを切目線沿いに切断しつつ、外フラップの両切目線に挟まれた部分を引き起こして、端面から容易に開封することができる。
【発明を実施するための最良の形態】
【００１３】
まず、この発明の第１実施形態を図１乃至図４に基づいて説明する。
【００１４】
図１に示すように、このカートンの段ボールブランクでは、各一対の広面板１及び狭面板２が交互に連設され、一方の狭面板２の外側には継代片３が連設されている。これら各狭面板２の両端には内フラップ４が、各広面板１の両端には外フラップ５がそれぞれ連設されている。
【００１５】
狭面板２から内フラップ４にかけては、カートンを横置きにした状態でトレー状に分割して開封できるように、裏面にカットテープを貼着した引裂帯６が設けられ、その切出部７が狭面板２の中央部を切り込んで形成されている。
【００１６】
内フラップ４には、狭面板２との稜部を始端とする切込を入れて押込片８が形成され、狭面板２には、押込片８と対称に切込を入れて折曲片９が形成されている。押込片８及び折曲片９は、根元が細いテーパ状となっている。
【００１７】
外フラップ５には、先端縁の両側に形成された切欠部の内端から広面板１の角部へかけて、斜折線１０が入れられている。この斜折線１０は、罫線に断続する切目を入れたリード罫とされている。
【００１８】
上記ブランクを組み立ててビール等の飲料缶を包装するには、図２に示すように、各一対の広面板１及び狭面板２を角筒状に折り曲げ、継代片３を反対側の広面板１の内面に貼着し、内フラップ４と外フラップ５とを順次内側へ折り曲げて、ホットメルト接着剤を塗布した接着部ａで貼り合わせる。
【００１９】
このように封緘すると、対向する外フラップ５の先端縁中間部が突き合わされるので、箱内への塵埃の侵入が防止され、包装強度も確保される。また、押込片８の一部分が対向する外フラップ５の切欠部間に生じた隙間から露出し、他の部分は外フラップ５の裏側に重なって隠された状態となる。
【００２０】
一方、図３に示すように、このカートンを縦置きにした状態で、上方となった端面から開封する場合には、図４（ａ）に示すように、押込片８を、外フラップ５の隙間を介して押し込む。このとき、折曲片９が外側へ逃げるように揺動して、押込片８と折曲片９との干渉が回避される。
【００２１】
この押し込みに伴い、押込片８の抜出穴に指を入れて、外フラップ５の角部を摘むことができるので、上記カートンは、図４（ｂ）に示すように、外フラップ５を捲るように斜折線１０沿いに折り曲げつつ、図４（ｃ）に示すように、外フラップ５と内フラップ４との接着部ａを引き剥がして、端面から容易に開封することができる。
【００２２】
次に、この発明の第２実施形態を図５乃至図８に基づいて説明する。なお、ここでは、上記第１実施形態の各部と対応する部分に同一の符号を付して説明を省略し、特徴点についてのみ言及する。
【００２３】
このカートンのブランクでは、図５に示すように、一方の広面板１の両端から延びる外フラップ５に、先端縁の中間部から切込を入れて押込片１１が形成されると共に、先端縁の両側部から基端へ至るジッパ型の切目線１２が外側へ向けて斜めに入れられている。
【００２４】
このブランクを組み立てて缶Ｃを包装する際には、図６に示すように、対向する外フラップ５の先端縁中間部を突き合わせ、切目線１２の外側の接着部ａで内フラップ４と外フラップ５とを貼り合わせる。
【００２５】
そして、このようなカートンでは、図７に示すように、縦置きにした状態で、上方となった端面から開封する場合、図８（ａ）に示すように、押込片１１を押し込むと、その抜出穴に指を入れることができるので、図８（ｂ）に示すように、外フラップ５を切目線１２沿いに切断しつつ、外フラップ５の両切目線１２に挟まれた部分を引き起こして、端面から容易に開封することができる。
【００２６】
なお、上記各実施形態では、６面体のカートンを例示しているが、広面板１と狭面板２の稜部又は狭面板２と内フラップ４の稜部に、面取り状の傾斜部を設けたカートンにおいても、同様の構成を適用することができる。
【図面の簡単な説明】
【００２７】
【図１】この発明の第１実施形態に係る易開封カートンのブランクを示す図
【図２】同上の包装状態を示す斜視図
【図３】同上の縦置き状態を示す斜視図
【図４】同上の開封過程を示す部分斜視図
【図５】この発明の第２実施形態に係る易開封カートンのブランクを示す図
【図６】同上の包装状態を示す斜視図
【図７】同上の縦置き状態を示す斜視図
【図８】同上の開封過程を示す部分斜視図
【図９】従来のカートンの包装状態を示す斜視図
【符号の説明】
【００２８】
１  広面板
２  狭面板
３  継代片
４  内フラップ
５  外フラップ
６  引裂帯
７  切出部
８  押込片
９  折曲片
１０  斜折線
１１  押込片
１２  切目線
【図１】
2006273359.tif 000003
【図２】
2006273359.tif 000004
【図３】
2006273359.tif 000005
【図４】
2006273359.tif 000006
【図５】
2006273359.tif 000007
【図６】
2006273359.tif 000008
【図７】
2006273359.tif 000009
【図８】
2006273359.tif 000010
【図９】
2006273359.tif 000011